(57)【特許請求の範囲】
【請求項１】
単位ブロックの組み合わせとして建物ユニットからユニット建物を設計するための環境表示装置であって、
建物のプラン設計、提案に必要な情報をデータベースとして記憶する記憶手段と、
建設を予定している敷地に関する敷地情報を含む敷地固有の情報を入力する固有情報入力手段と、
該固有情報に基づき該敷地固有の建物プラン設計、提案に必要な環境情報を前記データベースから抽出して表示する表示手段と、を備え、
前記敷地固有の情報には、周辺道路状況、敷地状況、周辺建物状況を含めるとともに当該各敷地固有の情報は、レイヤーを異にして入力され、
前記表示手段は、建設を予定している敷地に隣接した敷地にある建物（以下、他の建物という。）の影を考慮して前記敷地上に仮設計される建物の日照状況を表示可能とするとともに、
前記レイヤーを異にして入力された各敷地の固有情報は、レイヤー毎に自由にレイヤーの選択が可能であることにより、前記建物の日照状況が表示されている状態で、少なくとも周辺建物の表示、非表示の選択が可能であることを特徴とする環境表示装置。
【請求項２】
前記データベースは、地点又は地域毎に測定又は設定された気象情報に基づく地点気象情報を含み、前記表示手段は、該地点気象情報から、前記建設を予定している敷地に相当する地点の気象情報を抽出して、前記固有情報とともに表示することを特徴とする請求項１記載の環境表示装置。
【請求項３】
前記地点気象情報は、地名、経度緯度又は省エネルギー地域区分により準備されており、前記表示手段は、温度湿度などの気象情報及び省エネルギー地域区分から選択された少なくとも一つの環境情報を表示可能とすることを特徴とする請求項２記載の環境表示装置。
【請求項４】
前記表示手段は、地点または地域ごとに測定又は設定された地点日射量データ及び前記他の建物の影を考慮して前記敷地上に仮設計される建物に設置された太陽光発電装置の発電量を敷地固有の日射状況に応じて表示可能とすることを特徴とする請求項１〜３のいずれかに記載の環境表示装置。
【請求項５】
前記表示手段は、前記他の建物の影響を考慮して前記敷地の通風条件を表示可能とすることを特徴とする請求項１〜４のいずれかに記載の環境表示装置。
【請求項６】
前記データベースは、騒音源毎に測定又は設定された騒音発生場所での周波数毎の音圧レベルを含み、前記表示手段は、該音圧レベルを考慮して騒音状況を表示することを特徴とする請求項１〜５のいずれかに記載の環境表示装置。
【請求項７】
前記データベースは、地点又は地域ごとに測定又は設定された粉塵又は排ガス等の空気質又は地盤に関する情報を含み、前記表示手段は、建設を予定している敷地に相当する地点の空気質情報又は地盤情報を前記情報から抽出して、前記固有情報とともに表示することを特徴とする請求項１〜６のいずれかに記載の環境表示装置。
【請求項８】
前記他の建物は、単位ブロックの組み合わせとして取り扱うことを特徴とする請求項４又は５に記載の環境表示装置。
【請求項９】
前記仮設計される建物は、太陽光発電パネルを配置できるフラット屋根又は勾配屋根のブロックを含む単位ブロックの組み合わせとして取り扱うことを特徴とする請求項１〜８のいずれかに記載の環境表示装置。
【請求項１０】
前記入力手段及び前記表示手段は持ち運び可能であることを特徴とする請求項１〜９のいずれかに記載の環境表示装置。
【請求項１１】
請求項１〜１０のいずれかに記載の環境表示装置を利用した建物の仮設計方法。
【請求項１２】
請求項１〜１０のいずれかに記載の環境表示装置を利用して建物の環境を評価することを特徴とする建物の評価方法。
【請求項１３】
請求項１〜１０のいずれかに記載の環境表示装置を備えた建物設計装置。
【発明の詳細な説明】
【０００１】
【発明の属する技術分野】
本発明は、建物のプラン設計、提案に必要な環境情報を表示できる環境表示装置、それを利用した建物の仮設計方法、評価方法及び建物設計装置に関する。
【０００２】
【従来の技術】
従来、住宅等の建物販売活動に利用するために、日照状況や外部の騒音状況などの環境性能を再現又はシミュレーションして建物のプラン設計、提案を支援する各種の支援システムが提案されている。
【０００３】
たとえば、特開平４−２６４５８６号公報によれば、住宅の基本設計平面図を描くことのできる広さの平面スペースＨの天井部分に、複数の照明光源を配置し、照明光源の位置を季節と時間により変化する太陽の位置に合わせて配置し、日照制御装置に設けた操作パネルのボタンを押すことにより、或る季節の或る時間の太陽の位置の照明光源を点灯することができるように構成した住宅基本設計装置における日照確認機構が提案されている。
【０００４】
また、特開平４−２２１９８７号公報によれば、中心に体験室Ａを配置し、体験室Ａの投影窓の部分に投影スクリーンを設けた投影装置より、騒音源により体験室Ａ内に発生する騒音レベルを音響システムにより流し、壁を通常非防音壁と防音壁にした場合の相違をも、音響システムの音量を変更して、体験可能とした外部騒音シミュレーション装置が提案されている。
【０００５】
【発明が解決しようとする課題】
しかしながら、前者の日照確認機構によれば、少なくとも住宅の敷地と同じ広さのスペースＨが必要である。また、これから建てようとする建物の日照状況を確認するために個々の建物モデルに合わせて日照制御装置を設定する必要があり、複数プランの検討や変更プランの検討が実質的に困難である。また、後者の外部騒音シミュレーション装置によれば、体験室Ａに実際に防音壁を設置する必要がある。そして、このようなスペースＨや体験室Ａは、装置が大がかりであるので、実用的には特定のショールームでの設置が必要となる。
【０００６】
建物販売活動における顧客と営業活動者との折衝においては、展示場または営業所、顧客の住居での折衝場面が多い。それゆえ、特定のショールームへ連れていくことが必要なこのような大がかりの設備は、実用的でない場合も多い。また、顧客をショールームへ連れていっても、異なるプランを比較検討させることは、装置が大がかりな故に困難である。
【０００７】
顧客の建物設計における満足度、信頼度を高めるためには、個々の敷地環境や仮設計された建物に基づいた建物のプラン設計、提案に必要な環境情報を簡易に表示できる環境表示装置が望まれる。
【０００８】
そこで、この発明は、個々の敷地に対応した敷地環境を簡易に表示できる環境表示装置を提供することを目的とし、ひいては、住宅などの建物販売活動を行う営業活動者や設計者が、実用的に活用できる環境表示装置を提供することにより、設計依頼者個々の満足度、信頼度を高めることのできる環境表示装置、それを利用した建物の仮設計方法、評価方法及び建物設計装置を提供することを目的とする。
【０００９】
【課題を解決するための手段】
請求項１記載の発明は、単位ブロックの組み合わせとして建物ユニットからユニット建物を設計するための環境表示装置であって、
建物のプラン設計、提案に必要な情報をデータベースとして記憶する記憶手段と、建設を予定している敷地に関する敷地情報を含む敷地固有の情報を入力する固有情報入力手段と、該固有情報に基づき該敷地固有の建物プラン設計、提案に必要な環境情報を前記データベースから抽出して表示する表示手段と、を備え、
前記敷地固有の情報には、周辺道路状況、敷地状況、周辺建物状況を含めるとともに当該各敷地固有の情報は、レイヤーを異にして入力され、
前記表示手段は、建設を予定している敷地に隣接した敷地にある建物（以下、他の建物という。）の影を考慮して前記敷地上に仮設計される建物の日照状況を表示可能とするとともに、
前記レイヤーを異にして入力された各敷地の固有情報は、レイヤー毎に自由にレイヤーの選択が可能であることにより、前記建物の日照状況が表示されている状態で、少なくとも周辺建物の表示、非表示の選択が可能であることを特徴とする環境表示装置である。
【００１０】
このように構成すれば、建物のプラン設計、提案に必要な情報を記憶したデータベースから、建設を予定している敷地（顧客敷地）に関する固有情報に基づいて該敷地固有の建物プラン設計、提案に必要な環境情報が抽出されて表示される。
また、このように構成すれば、単位ブロックの組み合わせとして建物ユニットからユニット建物を設計するための装置であるので、建物を仮設計するのが容易となり仮設計の手間が省ける。
ここで、ユニット建物とは、工場生産された建物ユニットを建物現場において水平方向及び垂直方向（上下左右）に隣接、重合配置して施工・組み立てするものであるので、仮設計に単位ブロックの組み合わせを採用しても、ユニット建物の実体に合った仮設計をすることができる。この単位ブロックとしては、建物ユニットの居室用ユニットや屋根ユニット等の外面を模したものがよい。
これにより、多種類の仮設計提案を行うことが容易となる。
【００１１】
この環境表示装置によれば、各敷地固有の情報は、レイヤーを異にして入力され、表示手段は、建設を予定している敷地（顧客敷地）に隣接した敷地にある建物（以下、他の建物という。）の影を考慮して敷地（顧客敷地）上に仮設計される建物の日照状況を表示可能にしている。また、前記レイヤーを異にして入力された各敷地の固有情報は、レイヤー毎に自由にレイヤーの選択が可能であることにより、前記建物の日照状況が表示されている状態で、少なくとも周辺建物の表示、非表示の選択が可能である。これにより、建設を予定している敷地（顧客敷地）に隣接した敷地にある建物や同一敷地（顧客敷地）にある他の建物等の他の建物の影を考慮して敷地上に仮設計された建物の日照状況を、周辺建物の表示、非表示の選択が可能とすることにより、周辺建物を非表示の状態で顧客敷地上の日照状況（影の状態）を表示することができる。
以上により、本発明に係る環境表示装置を建物を販売する営業活動者や建物設計者が使用すれば、住宅などの建物販売活動を行う営業活動者が、間取りの変更、要望等に応じてその間取りに応じた各居室の日照状況を即座に表示することができ、日照状況などの情報に伴う仮設計に関するプラン、たとえば、窓などの開口部の配置、を顧客に提案することができるので、実用的に活用できる環境表示装置を提供することができ、顧客個々の満足度、信頼度を高めることのできる環境表示装置を提供することができる。
【００１２】
請求項２に記載の発明は、前記データベースは、地点又は地域毎に測定又は設定された気象情報に基づく地点気象情報を含み、前記表示手段は、該地点気象情報から、前記建設を予定している敷地に相当する地点の気象情報を抽出して、前記固有情報とともに表示することを特徴とする請求項１記載の環境表示装置である。
【００１３】
このように構成すれば、建設を予定されている敷地に対応した地点又は地域に関する気象情報が固有情報とともに表示できる。
【００１４】
請求項３に記載の発明は、前記地点気象情報は、地名、経度緯度又は省エネルギー地域区分により準備されており、前記表示手段は、温度湿度などの気象情報及び省エネルギー地域区分から選択された少なくとも一つの環境情報を表示可能とすることを特徴とする請求項２記載の環境表示装置である。
【００１５】
このように構成すれば、温度湿度などの気象情報及び省エネルギー地域区分から選択された少なくとも一つの環境情報が表示できる。これにより、営業活動者は、建設を予定している敷地に応じた断熱性などの情報を伴う設計に関するプランを顧客に提案できる。
【００１８】
ここで、建物各側面の日照状況及び建物の屋根面の日照状況を表示可能とするとよい。このように建物の屋根面の日照状況を表示可能とするように構成すれば、建設を予定している敷地に隣接した敷地にある他の建物の影を考慮して敷地上に仮設計された建物の屋根面の日照状況を表示できる。これにより、たとえば、屋根面に太陽光発電装置などの太陽エネルギーを利用する装置を設置する場合の補助資料を得ることができる。
【００１９】
請求項４記載の発明は、前記表示手段は、地点または地域ごとに測定又は設定された地点日射量データ及び前記他の建物の影を考慮して前記敷地上に仮設計される建物に設置された太陽光発電装置の発電量を敷地固有の日射状況に応じて表示可能とすることを特徴とする請求項１〜３のいずれかに記載の環境表示装置である。このように構成すれば、地点日射量データ及び敷地固有の日射状況に応じ、太陽光発電装置の発電量が計算されて表示されるので、太陽光発電装置の設置の効果が定量的に把握でき、特に密集地域で日照状況に不安がある場合、太陽光発電装置を設置すべきか否かの判断を容易に行うことができる。
【００２０】
請求項５に記載の発明は、前記表示手段は、前記他の建物の影響を考慮して前記敷地の通風条件を表示可能とすることを特徴とする請求項１〜４のいずれかに記載の環境表示装置である。
【００２１】
このように構成すれば、建設を予定している敷地に隣接された敷地にある建物や同一敷地に有る他の建物等の他の建物の影響を考慮して敷地の通風条件を表示できる。これにより、この環境表示装置を用いれば、通風条件を略把握でき、通風を伴う設計に関するプランを顧客等に提案することができる。
【００２２】
請求項６に記載の発明は、前記データベースは、騒音源毎に測定又は設定された騒音発生場所での周波数毎の音圧レベルを含み、前記表示手段は、該音圧レベルを考慮して騒音状況を表示することを特徴とする請求項１〜５のいずれかに記載の環境表示装置である。
【００２３】
このように構成すれば、騒音源毎に測定又は設定された騒音発生場所での周波数毎の音圧レベルに基づき、音圧レベルにより敷地状況の騒音状況を表示でき、騒音状況に応じた、たとえば、防音に関する環境情報を含めたプラン設計、提案をすることができる。
【００２４】
請求項７に記載の発明は、前記データベースは、地点又は地域ごとに測定又は設定された粉塵又は排ガス等の空気質又は地盤に関する情報を含み、前記表示手段は、建設を予定している敷地に相当する地点の空気質情報又は地盤情報を前記情報から抽出して、前記固有情報とともに表示することを特徴とする請求項１〜６のいずれかに記載の環境表示装置である。
【００２５】
このように構成すれば、建設を予定している敷地に相当する地点の空気質情報又は地盤情報を抽出して、固有情報とともに表示できるので、空気質情報又は地盤情報に基づく設計提案をすることができる。
【００２６】
請求項８に記載の発明は、前記他の建物は、単位ブロックの組み合わせとして取り扱うことを特徴とする請求項４又は５に記載の環境表示装置である。
【００２７】
このように構成すれば、他の建物に関する情報の入力は、直方体などの単位ブロックデータとして取り扱えるので、データ量を少なくでき、演算も速くでき、操作が簡易化できる。
【００２９】
請求項９に記載の発明は、前記仮設計される建物は、太陽光発電パネルを配置できるフラット屋根又は勾配屋根のブロックを含む単位ブロックの組み合わせとして取り扱うことを特徴とする請求項１〜８のいずれかに記載の環境表示装置である。このように構成すれば、建物の仮設計が太陽光発電パネルを配置できるフラット屋根又は勾配屋根のブロックを含む単位ブロックの組み合わせデータとして取り扱えるので、太陽光発電パネルを備えた建物を仮設計するのが容易となり仮設計の手間が省ける。これにより、多種類の仮設計提案を行うことが容易となる。
【００３２】
請求項１０に記載の発明は、前記入力手段及び前記表示手段は持ち運び可能であることを特徴とする請求項１〜９のいずれかに記載の環境表示装置である。
【００３３】
このように構成すれば、この環境表示装置は、建設を予定している敷地に関する敷地固有の固有情報を入力する入力手段とその敷地に基づいた環境情報を表示する表示手段とが、たとえばノート型パーソナルコンピュータなどのように持ち運び可能な構成とされるので、固有情報の入力及びそれに基づく必要な環境情報の提示は、たとえば、展示場、営業所、顧客の住居など、どこでも利用することができる。
【００３４】
以上の環境表示装置は、建物の仮設計方法として利用することができ、また、すでに設計が完了している建物の環境を評価する環境評価方法又は環境評価装置としても利用することができる。
【００３５】
また、この環境表示装置を建物設計装置の一部として組み込むことにより、以上に記載の効果を備えた建物設計装置とすることができる。
【００３６】
このような仮設計方法、評価装置又は設計装置は、ユニット建物に利用する場合には、操作が簡便となるので、利用価値が更に高まる。
【００３７】
【発明の実施の形態】
以下、本発明の具体的な実施の形態について、ユニット建物の仮設計プログラムを備えた邸宅別環境表示装置を用いた例により図面を参照しつつ説明する。
【００３８】
図１は、この発明の実施の形態に係る環境表示装置を説明する図である。この環境表示装置１は、マウス、キーボードなどの入力装置２、ＣＰＵなどの中央演算処理装置を備えた制御手段たる制御回路３、ハードディスクドライブなどの記憶手段４、表示画面などの出力手段５を備えたノート型パーソナルコンピュータ、モバイル型パーソナルコンピュータまたは携帯情報端末などの簡易に持ち運び可能なパーソナルコンピュータ（以下、パソコンという）等から構成されている。
【００３９】
この記憶手段４には、パソコンを操作する基本ＯＳをはじめとして、以下の説明に必要なプログラムと共にこの発明の実施に必要な一般的な情報がデータベースＤＢとして入力されている他、顧客情報など、入力した条件などをファイル毎に保存して読み出し可能とするための記憶手段を包含している。
【００４０】
このデータベースＤＢには、建物のプラン設計、提案に必要な基本情報が含まれている。この基本情報には、たとえば、▲１▼アメダス観測データなどの気象データ、▲２▼騒音発生源となる道路、空港などから発生する騒音に関する外騒音情報、▲３▼粉塵、排ガスなどの空気質情報、▲４▼地盤情報などの環境情報が含まれ、これらの情報は、生情報であっても、また、必要な統計処理された形で格納されていてもよい。これらの情報は、建物のプラン設計、提案に必要な地点毎の環境情報が、その他の必要な情報（たとえば、地名、及びその地名に対応した経度、緯度情報や省エネ地域情報など）と共に出力できるように構成されていてもよい。
【００４１】
統計処理された情報としては、たとえば、最深積雪、積雪日数、真夏日若しくは真冬日の日数、月別の平均気温、最高気温若しくは最低気温、又は日照時間などの平年値気象データ及び気象データを統計処理して風向分布及び平均風速について季節毎及び時間帯毎にデータベース化されて含まれている。また、これらの情報は更に統計処理されて季節毎、時間帯毎にデータベース化された情報が含まれている。
【００４２】
出力手段５としては、表示画面上で直接表示するほか、必要に応じてプリンターなどと接続して印刷表示できるように構成されている。また、パソコンが、電話回線、無線などによりホストコンピュータＨＰとデータ交信をするための接続端子を備えていれば、これらのデータベースＤＢやソフトの一部若しくは全てがホストコンピュータＨＰに格納されていてもよい。
【００４３】
以下にこの発明に係る邸別環境表示装置につき、操作ステップに基づき、制御回路３の構成・作用をその流れに従いつつ説明する。なお、この発明の実施される状況を「お客様」への建物設計、建築等の営業活動と想定し、以下の説明では、それに沿う表現を用いている。
［操作ステップ１］お客様の基本情報の入力と地域気象情報の出力
基本ＯＳ上で、この発明の作用を実現するプログラムを起動させると制御回路３が作動され、パソコンの液晶画面等の出力装置５には、図２に示すように、お客様情報をインプット（入力）する入力画面１０が表示される。この入力画面１０は、プログラムを作動させて敷地ツールをスタートさせた際の最初に出てくる画面である。この入力画面１０において、左側に地域情報１０１、周辺建物１０２、日照条件１０３、通風条件１０４、騒音条件１０５の各条件を選択する選択部１００とその選択部の下に操作の「終了」を選択する終了選択ボタン１０６が表示されている。この入力画面１０は、これらの選択部１００において地域情報１０１が選択された場合にいつでも表示される。
【００４４】
この入力画面１０には、お客様情報１１、地域気象情報１２、アメダスデータ１３の各タブが設けられていて、ここではお客様情報１１が選択されている。この入力画面１０は、お客様の氏名を入れるお名前欄１４１及び住所、電話番号、その他の情報を入れるご住所欄１４２、お電話番号欄１４３、メモ欄１４４からなるテキストボックス１４と、観測地点の情報を入力するリストボックス１５及びアメダス観測地点を日本地図１６１上で示すアメダスポイント表示画面１６と、その観測地点の緯度、経度、省エネルギー地域区分（省エネ区分）を表示する観測地点表示ボックス１７を備えている。
【００４５】
営業活動者は、お客様に関する情報に基づき、お客様の氏名をお名前欄１４１に入力する。このお客様の氏名は、後述する周辺建物、日照条件、通風条件、騒音条件などの操作ステップの表示画面に出力される。ついで、お客様の住所、電話番号、その他のメモ書きをご住所欄１４２、お電話番号欄１４３及びメモ欄１４４にそれぞれ記入する。メモ欄１４４は、お客様の勤務先・現住所などその他の必要な顧客情報を自由に記入できる。
【００４６】
ついで、表示画面１６の日本地図１６１上に提示されるアメダス観測地点（アメダスポイント）を選択するか、または、地方、県名、市町村などの地方行政区画に区分けされたドロップダウンリストボックス１５からお客様の建設予定地の近隣に位置するアメダス観測地点を選択する。ここで、アメダス（AMeDAS）とは、地域気象観測システム（Automated Meteorological Data Acquisition System）の略であり、アメダス観測地点は、全国に約２１ｋｍ間隔で約８４０カ所ある気象庁提供のデータベースに基づく地点である。これにより、表示ボックス１７には、その経度、緯度及び省エネ区分（次世代区分及び新区分等の区分に基づく）が表示される。
【００４７】
ついで、営業活動者が地域気象情報タブ１２を選択すると、図３に示すように、入力画面１０において入力されたお客様の氏名及び観測地点に関する情報に基づき、その選択された観測地点における基本的な気象情報が整理されて表示される地域気象情報画面１８が出力される。この地域気象情報画面１８では、お客様の氏名及び選択された地域を示すお客様情報表示欄１９とともに、その選択された地域に相当する最深積雪（ｃｍ）、積雪日数（年間５０ｃｍ以上）、積雪日数（年間１００ｃｍ以上）、真夏日及び真冬日の日数を表示するテーブル２０及び月別及び年間の平均気温、最高及び最低気温、日照時間を表示するテーブル２１が表示されている。
【００４８】
これらの表示データは、全国各地の地域気象観測資料の準平均値（たとえば、１９７９〜１９９０年の累計平均値）から抽出された値である。この値は、データベースの内容を変更することにより適宜に最新の情報にアップグレードできる。
【００４９】
この地域気象情報画面１８の基礎となる生データは、アメダスデータタブ１３を選択することにより、図４に示すように、アメダスデータ画面２２として、生データをテーブル２３のように出力することによりお客様に提示することもできる。ここで、このデーブル２３中には、観測地点により観測されていないデータがあってもよい。
［操作ステップ２］お客様の敷地・建物と周辺の敷地・建物情報の入力
ついで、選択部１００の周辺建物１０２を選択すると、環境表示装置１の出力装置５には、図５に示すように、周辺建物等の状況を入力する入力画面２４が表示される。この周辺建物入力画面２４には、敷地、建物情報を簡易入力するためのツールを表示する部品選択ボックス２５と、お客様の敷地・建物と周辺の敷地・建物を表示するグリッド２６とを備えている。このグリッド２６の上には、お客様の情報を表示する顧客情報表示欄２７が示され、グリッド２６の下部にはグリッド選択バー２８が設けられている。
【００５０】
この部品選択ボックス２５の最上部にはお客様の建設を予定しているユニット建物の種類を選択するためのユニット選択欄２９がドロップダウンリストボックスにより設けられ、その下方には、選択されたユニット建物の種類に応じた各建物ユニットや周辺状況を選択できるようにツリー方式で表示する部品選択欄３０が設けられている。
【００５１】
ここで、ユニット建物とは、一棟の建物を略箱形に形成された建物ユニットに分けて工場生産され、これを建物現場において水平方向及び垂直方向（上下左右）に隣接、重合配置して施工・組み立てする方式のユニット建物であり、居間、食堂、寝室などの各建物ユニットが予め工場で生産され、建物現場に輸送されて組み立てられる。
【００５２】
このような建物ユニットは、たとえば、鉄骨系ラーメン構造を主体とするユニット工法によるもの（図５でハイムと表示）及び木質系壁式構造のツーバイフォーユニット工法によるもの等である。前者の鉄骨系ラーメン構造では、筋交いやブレージングを入れた耐久壁を必要としないシンプルな構造とできるので、他の工法と比較して広い開口（窓などの通風、採光部）を作りやすいという利点を備えている。一方、後者の木質系壁式構造では、木質系という利点に加えて、ユニットの天井を高く取れるという利点を備えている。
【００５３】
いずれも、構造体となる建物ユニットの品番は居室ユニット、浴室ユニットなど内装を加えれば多種類あるが、これらの建物ユニットの外形は、幅が標準又はハーフサイズで長さが所定単位で異なる直方体形状に規格化されており、８〜１０種類程度と少ない基本ユニットから構成されている。なお、以下の例では、このユニットは直方体の単位ブロックの組み合わせとして取り扱うことにより仮設計を容易としているが、この単位ブロックには三角屋根を含めた屋根ユニット等の異形ユニットを含んでいてもよい。また、建築する建物が、パネルを併用するユニット建物である場合には、部品としてパネルを用意するが、ユニットでない部分をユニットに擬して処理するとよい。
【００５４】
部品選択欄３０には、周辺状況の下層階にツリー表示で表示されるように、１階、２階、３階などの高さ別に用意された周辺の建物を選択して設定する周辺建物選択ボタン３１、方角設定ボタン３２、お客様の敷地を設定するための敷地設定ボタン（表示色が黄緑）３３、その敷地の高さを調整する敷地高さ調整ボタン３４、周辺の敷地を設定する周辺敷地設定ボタン（表示色が薄緑）３５、その高さを調整する周辺敷地高さ調整ボタン３６、垂直又は水平の道路を設定する道路設定ボタン（水平）又は（垂直）３７が表示されている。
【００５５】
また、グリッド選択バー２８には、グリッドの寸法を９００ミリメートル（mm）と１０００mmと無地とをワンタッチで選択できる選択ボタンとともに任意の寸法に拡大・縮小するための拡大ボタン等を備えている。
【００５６】
このような周辺建物入力画面２４において、営業活動者は、部品選択ボックス２５からハイム又はツーユー（何れもユニット建物の種類を表す略号）を選択する。これにより、選択されたユニット建物の種類に応じた仮設計すべき建物の種類が設定される。
【００５７】
ついで、ツリーの周辺条件から周辺状況の各部品を選択して、マウスポインタによるドラッグおよびドロップ（以下、ドラッグ＆ドロップと記す）によりグリッド２６上に周辺部品を組み上げる。通常、周辺道路、敷地状況、周辺建物が各レイヤーに順次入力され、方角は、最後に設定すればよい。
【００５８】
たとえば、図５の波線矢印Aに示すように、周辺道路は、道路設定ボタン３７の道路（水平）及び道路（垂直）をドラッグ＆ドロップすることにより、水平および垂直の道路３８がグリッド２６上に示される。この道路３８の幅の変更は、図６（ａ）、（ｂ）に示すように、長辺の中心又は頂点をドラッグ＆ドロップすることにより調整可能である。
【００５９】
ついで、お客様の敷地３９及び周辺の敷地４０も同様に敷地設定ボタン３３、周辺敷地設定ボタン３５をドラッグ＆ドロップによりグリッド２６上にレイヤー毎に組み上げて表示し、その大きさ及び形状を道路３８と同様にして調整する。ついで、ツリー上の敷地高さ調整ボタン３４又は周辺敷地高さ調整ボタン３６を選択して、敷地毎にその高さを調整する。ここで、敷地の形状、高さの設定、大きさ、角度の調整は、図６（ｃ）に示すように、ボックス形式で変更手段４１を表示して適宜の変更を行うこともできる。たとえば、高さの設定をマウスの右クリックにより選択することによりテキストボックス形式で高さを数字入力する高さ入力手段４２が表示されので、このテキストボックス４２に敷地の高さに関する数値を入力し、コマンドボタン４２ａの了解又は取消をクリックすることによりそれぞれの敷地の高さは確定又は取り消される。同様に、拡大、縮小も細かい数値まで調整できる。
【００６０】
最後に、方位設定が行われる。この方位設定は、図５の方角設定ボタン３２をドラッグ＆ドロップして方位見出し４３をグリッド上に表示する。ついで、その下のボタン４３ａ又は４３ｂにマウスポインタを合わせてからマウスの左ボタンを１クリック行う毎にそれぞれの方向に方位が５度ずつ傾くことにより調整される。
【００６１】
ついで、図７に示すように、周辺建物選択ボタン３１から１Ｆ（階）、２Ｆ（階）、３Ｆ（階）に相当する部品を選択して周辺敷地４０に周辺建物４４ａ〜４４ｅを道路と同様な操作により描く。この周辺建物は、直方体状の単位ブロックの組み合わせにより凹凸を表現できる。また、通常の日本建築が４５０ｃｍピッチに近似できるので、ここでも４５０ｃｍピッチを基本として大小変更可能とされている。また、１階から３階までの軒高を初期設定として入力可能とされている。
【００６２】
部品選択欄３０のハイムを選択し、ユニット建物のユニット部品を表示する。このユニット部品には、長手方向の長さを略号として、９種類の１８、２２、…、５４標準ユニットボタン４５と、幅が標準ユニットの半分である同様に９種類のサブユニットボタン４６が用意されている。同様に、ユニットの種類としての「ツーユー」を選択すれば、そのユニットの種類に相当するユニットの選択ボタンが表示される。これらのユニット選択ボタン４５，４６から適切なユニットを選択して顧客敷地３９にユニット建物としての顧客建物４７を完成させる。ここで、この顧客建物４７は、外形がユニット化されているので、形状の変更は不要である。
【００６３】
必要に応じて、方位調整して、全ての顧客情報が入力された状態でこの顧客情報は登録される。これにより、後述される通風状況、日照状況などの顧客別環境情報が特定される。
［操作ステップ３］お客様の敷地・建物での日照条件の表示
各画面左端の選択部１００の日照条件１０３を選択すると、図８に示すように、地域気象情報と周辺建物情報からお客様の敷地・建物での日照条件を３Ｄ（３次元）で表示するとともに各条件設定が行える日照表示設定画面４８が表示される。
【００６４】
この日照表示設定画面４８は、操作ステップ１及び２において入力されたお客様の敷地及び周辺の状況を所望の形態で表示する表示部４９と、その表示部４９の視点方向や表示方法、縮尺などにより設定する表示設定部５０と、季節、日付、時間を設定する条件設定部５１とを備えている。
【００６５】
表示設定部５０には、平面図、立面図（南面、東面、北面、西面）、アイソメ図、透視図、全体図の各選択ボタン５０ａを始め、その表示倍率を変更するボタン又はテキストボックス５０ｂ、画面配置を左右上下に調整する調整ボタン５０ｃが設けられ、それぞれのボタン５０を選択することにより表示部４９の表示がそれぞれ変更される。たとえば、調整ボタン５０ｃをクリックすることにより表示部４９に表示された画像（建物、敷地）の表示部４９内での配置を左右上下に動かすことができる。また、表示倍率を変更するボタン５０ｂを操作により表示部４９に表示された画像（建物、敷地）の拡大又は縮小を行え、テキストボックス５０ｂには直接拡大又は縮小倍率を入力することもできる。また、マウスポインタＭをドラッグすることにより、表示部４９に表示された画像（建物、敷地）の視点を動かすことができる。
【００６６】
また、条件設定部５１には、春夏秋冬で季節を選択する季節ボタン５１ａと、８時、１０時、１２時、１４時、１６時の各２時間毎で時刻をワンタッチで選択する時刻選択部５１ｂと、１年のカレンダーを表示して所望の日時に設定する日時設定部５１ｃと、時計表示により好みの時刻に設定する時刻設定部５１ｄと、それらの選択された条件での太陽の位置を示す、太陽表示部５１ｅが設けられている。ここで、太陽位置は、お客様の敷地の経度、緯度を考慮して計算されて表示されている。
【００６７】
表示部４９は、これらの設定された条件での太陽の位置と、建物や敷地条件などを考慮して太陽による建物等の影を表示する。この図８においては、表示部４９には、顧客敷地３９，周辺敷地４０、顧客建物４７、周辺建物４４がそれぞれ立体図で全体表示されている。また、この図では、日時設定部５１ｃ及び時刻設定部５１ｄが選択されることにより、１９９９年８月３０日の正午の顧客の敷地環境に合わせた太陽位置（方位角−１１度、太陽高度６２．８度）が太陽位置表示部５１ｅに表示されている。これにより、周辺敷地４０の高低差まで反映され、これにより周辺敷地の高さを考慮して計算された影が表示可能とされる（図８では、影は非表示である）。
【００６８】
ここで、この表示部４９は、レイヤー設定ボックス５２ａにより、操作ステップ２において入力されたレイヤー毎に自由にレイヤーを選択して表示できる。たとえば、この図８に示す表示部４９では、周辺建物４４ｃの影響により顧客敷地３９が一部隠れているので、レイヤー設定により周辺建物４４を消去させる。また、影を表示部４９欄に表示させる、図９に示すように、周辺建物４４ａ〜４４ｅが消去されて、顧客敷地３９上の影の状態を明示することができる。同様に、レイヤー設定では、仮設計した顧客建物を選択することができ、これらの選択、消去は、たとえば、チェックボックス式で、ボックスにチェックを入れることにより、そのレイヤーの選択、非選択を行える。
【００６９】
同様に、グラフィック設定ボックス５２ｂでは、建物のエッジ（稜線）を表示、非表示に選択したり、太陽による建物の影を表示、非表示に選択したり、影に濃淡を付したりを同様にチェックボックス式に行える。たとえば、図１０は、図８においてエッジを消去した図を示す。これらの表示部４９における表示は、必要に応じて印刷することができる。
【００７０】
以上は、表示部４９上の表示選択ボタン５３において「３Ｄ表示」を選択した場合であるが、この表示選択ボタン５３において「３Ｄ表示」から「一覧表示」を切り替えて選択することにより、３Ｄ表示の視点で季節と時間の一覧表を見ることができる。また、この表示部４９は、必要に応じて、全画面（日照設定画面４８において画面設定部５０及び条件設定部５１を消去して表示部４９のみを表示画面全体に表示させたもの）としての表示も行える。
【００７１】
ここで、図１１に一覧表示のプリントアウト例５４を、顧客建物４７のみを拡大表示した例により示す。この図１１において、図８における表示部４９は、縦軸５４ａに春季（秋季）、夏季、冬季で分け、横軸５４ｂに８時〜１６時の時刻毎にマトリックス状に、顧客情報（お客様のご氏名及びご住所）とともに一覧表示されている。
【００７２】
また、このプリントアウト例５４では、顧客建物４７が拡大表示されており、周辺建物等による影の影響を明確に見ることができる。これにより、冬季は、太陽による影が長いので、顧客建物４７にも早朝や夕方には影がかかることが直接視認できる。しかしながら、この例では、冬季の早朝である８時の時点でも、南東に位置する１階ユニット４７ａでは、日が当たることが視認できる。これは、東側の周辺建物４４ａと南東側の周辺建物４４ｂとの隙間からこの位置に相当する１階まで太陽が照らしていることを視認させている。これにより、高齢などにより１階に居住することを余儀なくされるご家族でも、この部屋に間取りを配置すれば、早朝から太陽を浴びることが容易に理解され、お客様の間取りの確定に大きく寄与させることができる。また、顧客建物への西日の入射状況などを反映させて、遮熱ガラスの使用等を提案することもできる。
【００７３】
なお、図８においてレイヤー設定により、顧客敷地３９の影のみを見ることもでき、同様にして図１１のようにプリントアウトすることもできる。このように設定すれば、顧客敷地３９の日照状況が一層明確となり、敷地内での建物位置の設定はもとより、庭の樹木等の植栽の配置、花壇の配置などの外構設計に役立てることもできる。
【００７４】
また、お客様の敷地位置を南側に設定すれば、北側の周辺敷地の日射状況を視認でき、これにより、３階建て住宅を建設する場合の周辺建物への影響を事前にお客様へ提示することもできる。
【００７５】
これにより、建物設計者又は営業活動者は、太陽による影を考慮して、お客様の敷地内での、顧客建物４７を移動したり、間取りを変更するなどして、日照条件に関してお客様が満足される建物を仮設計、又は設計することができる。また、お客様も、自分の仮設計された顧客建物４７に基づき日照状況を直接視認することができ、ショールームなどで、体感できると同様な効果を、顧客の住居や営業所にいながら体感することができる。
【００７６】
ここで、お客様又は設計者が日照状況を考慮して、顧客建物の間取り、レイアウトの変更を行う場合には、図５の選択部１００の周辺建物１０２をクリックして、操作ステップ２に従い、お客様の顧客建物４７の仮設計された建物のみを変更すればよい。また、顧客建物４７は、ユニット化（規格化）されたユニット建物であるので、仮設計した建物を変更するのは極めて簡易である。この変更された建物は、同様に記憶のために登録した後、日照条件１０３を選択することにより、太陽による建物の影を表示する表示部４９が画面に表示される。これにより、お客様の周辺状況や敷地状況を固定した場合の多種類の仮設計された顧客建物４７に対する日照状況を画面表示することができる。
［操作ステップ４］お客様の敷地・建物での通風条件の表示
ついで、画面左端の選択部１００の通風条件１０４を選択すると、図１２に示すように、地域気象情報と周辺建物情報からお客様の敷地・建物での通風条件を表示する通風状況表示画面５５が表示される。
【００７７】
この通風状況表示画面５５は、操作ステップ１及び２において入力されたお客様の敷地及び周辺の状況に基づき、通風条件を表示する表示部５６と、その表示部５６の画面を季節毎に切り替える切替ボタン５７とを備えている。
【００７８】
この図では、切替ボタン５７の季節毎が選択され、表示部５６には、お客様の名前、住所を表示する顧客表示欄５８、顧客敷地に対応したアメダス観測地点により選択された地域（アメダスポイント）表示欄５９と、風の特性を表す風特性表示欄６０と、周辺建物を含めた敷地の概略を表示する敷地表示欄６１と、春夏秋冬に分けてレイダーチャートにより示す風配図とともに表形式で風速・風向を表示する風表示欄６２とを備えている。
【００７９】
この風についての基本データは、アメダス情報による。風向・風速は毎時計測されているが、ここでは、特定期間（たとえば、１９８７〜１９９７年）の風向の頻度と風速の平均値を表示している。また、アメダス観測地点での風向・風速は、周辺の建物や地表の影響を受けないようにして測定された値であるので、ここで表示する平均風速は、１階、２階毎に分けて、住宅の密集地であるか否かを考慮した補正数値を示すことにしている。
【００８０】
風特性表示欄６０には、春夏秋冬に分けて風の特徴が表示される。風の特徴は、客観的に表現できるようにしきい値を設定して仕分け表示を行っている。たとえば、平均風速が１．５ｍ／秒以上であり、無風率が２０％以下の場合には、「風が多い」と表示し、これ以外の場合には、「風が少ない」と表示させる。１．５ｍ／秒以上の風は、郊外の住宅の２階の窓前で適当な風速の風と判断されるが、無風状態が２０％以上であれば、風が多いと判断しにくいためである。
【００８１】
敷地表示欄６１は、お客様、又は設計者が、風の道を考慮してプラン設計が行えるための表示部である。
【００８２】
また、風表示欄６２では、風配図に、風速０．６ｍ／秒以上の風を１６方位の頻度で表示し、表には、１階、２階に分けて、平均風速を示している。
【００８３】
ここで、切替ボタン５７で特定の季節を選択すれば、その季節に合った情報が表示される。たとえば、夏季を選択すれば、７月〜９月の平均情報により特定された夏季の風情報が表示される。この場合、風表示欄６２には、時間帯毎に設定された風配図及び表形式の風情報が表示される。ここで、この時間帯の設定は、生活シーンでの好ましい風を、たとえば、「朝（７−９時）：起床時のさわやかな風、昼（１２−１４時）：部屋の熱を追い出す風、夕１７−１９時：夕涼みの風、夜（２２−２４時）：団らん、寝入りの心地よい風」と区分けして設定し、その時間帯における平均値を同様に風配図および表形式で表示する。
【００８４】
また、風特性表示欄６０には、朝、昼、夕、夜に分けた主な風方向を表示する。ここでも、風向の特徴は、客観的に表現できるように、しきい値を設定して判断させている。たとえば、図１３に示すように、無風率２０％以下で、１６方位を８方位に絞り、風向の両サイドの割合（％）を加算して５０％以上となる風向でさらに最大値となる風向を主風向と定義して選択表示している。この例では、北東が５４％となる最大値であり、北東と表示している。また、夏の夜の風の特徴が、東風である場合には、風特性表示欄６０の夜の欄に「東」と標記することにより、お客様の敷地状況では、夏の夜に東風が期待され、この情報は、間取りの設定に反映させることができる。
【００８５】
以上により、年間の風向を季節別にレーダーチャートで表示し、季節別の風速を１階、２階別に風速一覧表として表示したり、季節毎の風向を時間帯別にレーダーチャートで表示し、時間帯別の風速を住宅密集度、１階、２階別平均風速一覧表として表示することにより、お客様、建物設計者は、仮設計された建物の通風条件を視認でき、これにより、仮設計した建物の通風条件を評価することができる。また、この情報により、仮設計した建物の窓の配置や大きさなどの検討、間取りの変更を含めた通風計画に活用できる。もちろん、すでに設計が完了している建物の風特性の評価に用いてもよい。
［操作ステップ５］お客様の敷地・建物での騒音条件の表示
画面左端の選択部１００の騒音条件１０５を選択すると、図１４に示すように、騒音発生源に基づくお客様の外構条件から窓前騒音条件を表示する騒音状況表示画面６３が出力される。
【００８６】
この騒音条件表示画面６３は、騒音発生源６４と、目的とする騒音観測点としての顧客建物４７の外壁６５と、その騒音を防止するブロック塀などの防音壁６６と、それぞれの配置されている距離から、顧客建物４７の外壁６５に到達する騒音を音圧レベルで顧客情報とともに出力して表示するものである。
【００８７】
この騒音発生源６４は、乗用車、大型トラック等の騒音発生源を選択する騒音源選択ボックスから選択され、防音壁６６の高さ、その騒音発生源６４と防音壁及び顧客建物の外壁６５との間隔が各テキストボックス６７ａ〜６７ｃ内に数値入力される。これにより、顧客の氏名が顧客欄６８に表示されると共に、顧客建物４７の１階及び２階の外壁で観測される騒音レベルがそれぞれの表示欄６９に表示される。また、これらの騒音発生源は、複数設定することができ、それぞれ、条件１又は条件２等として区別される。顧客敷地が角地である場合には、道路状況に関する条件は、条件１及び条件２の２種類が選択される。
【００８８】
なお、この表示欄６９は、外壁到達地点での音圧レベルを示したが、ユニット建物の窓構造などを特定させれば、居室内の騒音を表示させることもできる。
【００８９】
これにより、騒音源毎に測定又は設定された騒音発生場所での周波数毎の音圧レベルに基づき、音圧レベルにより敷地状況の騒音状況を表示でき、騒音状況に応じた、たとえば、防音に関する設計提案を含めたプランを顧客にすることができる。
【００９０】
なお、以上の説明では、騒音源は、簡易に入力されたが、敷地情報としてのデータベースに、たとえば、主要交差点、工場、公園、高速道路など周辺道路状況やその他の状況により騒音発生源の騒音データがある地域においては、そのデータベースによる値を利用してもよい。
【００９１】
以上、この発明を、一例で説明したが、温熱性能は、Ｑ値、光熱費、太陽光発電装置の発電量、室内快適性などの評価項目で評価してもよい。
また、このとき、太陽光発電装置の発電量は、前記の地域の気象データによる日射量、該敷地の状況、例えば、隣接住戸による日影の影響、該建物の方位角、屋根勾配を含む太陽光発電パネルの設置角度から計算され、発電量として表示される。
これにより、太陽光発電装置の設置の効果が明確に把握できるので、特に密集地域で日照状況に不安がある場合、太陽光発電装置を設置すべきか否かの判断を簡単に行うことができる。
【００９２】
また、太陽日射は、建物の見え方で表示したが、室内の見え方、部屋の日当たりとして表現することもできる。
【００９３】
また、通風性能は、風通しの良さ、快適性、省エネルギー効果など、数値で表現してもよい。
【００９４】
また、音、振動については、騒音の聞こえ方を外部騒音レベルで示したが、内部騒音としてもよく、また、実際に音を再現させて表現してもよい。
【００９５】
また、これらの表示手段に加えて、ホルムアルデヒド濃度などの室内空気質、地盤に関する情報を表示してもよい。
【００９６】
また、上記操作ステップ１〜５は、入力順序は限定されないようにするとよい。また、入力、表示の対象となる項目は、気象情報、日照状況、通風条件、騒音状況、空気質、地盤情報から選択したものでもよいし、また、他の評価対象を加えたものでもよい。
【００９７】
以上に説明した環境表示装置によれば、設計者又は営業活動者は、提案内容に関する環境条件を性能レベルで表現したり、お客様に視認させることにより、お客様に提案したプランの技術的な裏付けを行える。また、これらの情報を基に、お客様と相談しながら、仮設計された建物についての環境条件を即座に提示しながら、商談を行うことができる。これにより、邸別に各種の環境条件や性能表示が行えるので、お客様にとっての快適な設計プランの確定が行える。
【００９８】
また、以上に説明した建物環境表示装置は、建物の仮設計方法として利用することができ、また、建物設計装置の一部として組み込むこともできる。また、このような仮設計方法又は設計装置は、ユニット建物に利用する場合には、操作が簡便となるので、利用価値が一層高まる。
【００９９】
また、以上に記載の環境表示装置は、すでに設計が完了している建物の環境を評価する環境評価方法又は環境評価装置としても利用することができる。
【０１００】
以上、この発明の実施の形態を図面により詳述してきたが、具体的な構成はこの実施の形態に限らず、この発明の要旨を逸脱しない範囲の設計変更等があってもこの発明に含まれる。
【０１０１】
以上の実施の形態では、顧客を前提として顧客の要望を反映させる邸別環境表示装置につき主に説明したが、この発明の環境表示装置は、設計者が自ら設計するための必要な情報の支援としても利用でき、また、一戸建てに限らずに集合住宅や共同住宅などであってもよいことは、もちろんである。
【０１０２】
また、例えば、制御回路３を制御するプログラムや記憶手段４に記憶されたデータベースＤＢは、ＣＤ−ＲＯＭ（Compact disc-Read Only Memory） 、ＭＯ（Magneto-Optical Disc）、ＤＶＤ−ＲＯＭ（Digital Versatile Disc-Read Only Memory）などの予めプログラム及びデータが格納された記録媒体の形で提供してもよい。この記録媒体は、必要に応じて営業活動者が持ち運び、パソコンにインストールして利用できる。また、外部と通信可能なパソコンを用いれば、これらのデータベースは、有線または無線の通信回線、インターネットなどにより結ばれていてもよい。
【０１０３】
【発明の効果】
本発明によれば、建物のプラン設計、提案に必要な情報を記憶したデータベースから、建設を予定している敷地に関する固有情報に基づいて固有のプラン設計、提案に必要な環境情報が抽出されて表示でき、また、仮設計された建物の配置を変更するなど、固有情報を変更する場合には、入力された固有情報を変更するという簡単な操作により、簡易に対応することができるので、住宅などの建物販売活動を行う営業活動者が、実用的に活用できる環境表示装置を提供することができ、個々の満足度、信頼度を高めることのできる環境表示装置を提供することができる。
【０１１５】
また、以上に記載の環境表示装置は、建物の仮設計方法として利用することができ、また、すでに設計が完了している建物の環境を評価する環境評価方法又は環境評価装置としても利用することができる。
【０１１６】
また、この環境表示装置を建物設計装置の一部として取り込むことにより、以上に記載の作用効果を備えた建物設計装置とすることができる。
【０１１７】
このような仮設計方法、評価装置又は設計装置は、ユニット建物に利用する場合には、操作が簡便となるので、利用価値が更に高まる、という実用上有益な効果を発揮する。
【図面の簡単な説明】
【図１】本発明の実施の形態に係る環境表示装置の構成を説明する図である。
【図２】図１の環境表示装置に顧客の基本情報を入力する画面を説明する図である。
【図３】図２の入力情報に基づく顧客固有の気象情報を整理して表示する地域気象情報画面を示す図である。
【図４】図３の地域気象情報画面の基礎となる生情報を示す図である。
【図５】図１の環境表示装置に顧客の固有情報を入力する画面を説明する図である。
【図６】図６（ａ）〜（ｃ）は、図５の固有情報を加工する手法を説明する図である。
【図７】図１の環境表示装置に顧客建物及び周辺建物を入力する画面を説明する図である。
【図８】図７で入力された顧客建物への日照条件の設定する画面を説明する図である。
【図９】図８で入力された顧客建物への日照条件の条件を表示する画面を示す図である。
【図１０】図８で入力された顧客建物の表示条件の変更を表示する画面を示す図である。
【図１１】図８で入力された顧客建物の日照条件の表示をプリントアウト例により示す図である。
【図１２】図７で入力された顧客建物の通風条件を表示する画面を示す図である。
【図１３】図１２で示した通風条件の設定例を説明する図である。
【図１４】顧客建物の騒音条件を設定し表示する画面を説明する図である。
【符号の説明】
１  邸別環境表示装置
２  入力装置
３  制御回路
４  記憶手段（データベースＤＢ）
５  出力手段（表示装置）
【図１】
0004582921.tif 000002
【図２】
0004582921.tif 000003
【図３】
0004582921.tif 000004
【図４】
0004582921.tif 000005
【図５】
0004582921.tif 000006
【図６】
0004582921.tif 000007
【図７】
0004582921.tif 000008
【図８】
0004582921.tif 000009
【図９】
0004582921.tif 000010
【図１０】
0004582921.tif 000011
【図１１】
0004582921.tif 000012
【図１２】
0004582921.tif 000013
【図１３】
0004582921.tif 000014
【図１４】
0004582921.tif 000015